(57)【特許請求の範囲】
【請求項１】
各々個別に記録媒体を収納可能な複数の収納手段と、記録媒体を再生する再生手段と、前記複数の収納手段について個別に、所定の排出位置から所定の収納位置へ移動したり、所定の収納位置から所定の排出位置へ移動する移動手段と、所定の収納位置に在る１または複数の収納手段の内、任意の１つに収納された記録媒体を再生手段にセットしたり、再生手段にセットされた記録媒体を元の収納位置に戻す交換手段と、前記複数の収納手段に対し個別に開閉操作をする開閉操作手段と、前記複数の収納手段の任意の１つを選択して開操作がされると、移動手段を制御し、選択された収納手段を所定の収納位置から所定の排出位置へ移動させ、前記複数の収納手段の任意の１つを選択して閉操作がされると、移動手段を制御し、選択された収納手段を所定の排出位置から所定の収納位置へ移動させ、前記複数の収納手段の内、所定の収納位置に在る任意の１つを再生対象とした再生要求が有ると、交換手段を制御して再生対象収納手段に収納された記録媒体を再生手段にセットさせたあと再生手段を制御し、記録媒体を再生させる制御手段と、を備えた記録媒体再生装置において、
収納手段別に、収納手段が所定の収納位置に在るときに記録媒体が収納されているか否かを検出する検出手段を設け、
制御手段は、所定の収納位置に在る任意の１つの収納手段を再生対象とした再生要求が有ると、検出手段により再生対象収納手段に記録媒体有りが検出されていれば、交換手段を制御して再生対象収納手段に収納された記録媒体を再生手段にセットさせたあと再生手段を制御し、記録媒体を再生させ、反対に、所定の収納位置に在る任意の１つの収納手段を再生対象とした再生要求が有ったとき、検出手段により再生対象収納手段に記録媒体無しが検出されていれば、移動手段を制御して、再生対象収納手段を一旦所定の排出位置まで移動させ、このあと再生対象収納手段の閉操作または再生対象収納手段の再生要求操作が有ると、移動手段を制御して、再生対象収納手段を所定の排出位置から所定の収納位置へ移動させ、検出手段が再生対象収納手段に記録媒体有りを検出すれば交換手段を制御して再生対象収納手段に収納された記録媒体を再生手段にセットさせたあと再生手段を制御し、記録媒体を再生させ、検出手段が再生対象収納手段に記録媒体無しを検出したままであれば、今回の再生要求を無視するようにしたこと、
を特徴とする記録媒体再生装置。
【請求項２】
各々個別に記録媒体を収納可能な複数の収納手段と、記録媒体を再生する再生手段と、前記複数の収納手段について個別に、所定の排出位置から所定の収納位置へ移動したり、所定の収納位置から所定の排出位置へ移動する移動手段と、所定の収納位置に在る１または複数の収納手段の内、任意の１つに収納された記録媒体を再生手段にセットしたり、再生手段にセットされた記録媒体を元の収納位置に戻す交換手段と、前記複数の収納手段に対し個別に開閉操作をする開閉操作手段と、前記複数の収納手段の任意の１つを選択して開操作がされると、移動手段を制御し、選択された収納手段を所定の収納位置から所定の排出位置へ移動させ、前記複数の収納手段の任意の１つを選択して閉操作がされると、移動手段を制御し、選択された収納手段を所定の排出位置から所定の収納位置へ移動させ、前記複数の収納手段の内、所定の排出位置に在る任意の１つを再生対象とした再生要求が有ると、まず移動手段を制御して所定の収納位置に移動し、続いて、交換手段を制御して再生対象収納手段に収納された記録媒体を再生手段にセットさせたあと再生手段を制御し、記録媒体を再生させる制御手段と、を備えた記録媒体再生装置において、
収納手段別に、収納手段が所定の収納位置に在るときに記録媒体が収納されているか否かを検出する検出手段を設け、
制御手段は、所定の排出位置に在る任意の１つの収納手段を再生対象とした再生要求が有ると、移動手段を制御して再生対象収納手段を一旦所定の収納位置に移動させ、ここで検出手段により記録媒体有りが検出されていれば、交換手段を制御して再生対象収納手段に収納された記録媒体を再生手段にセットさせたあと再生手段を制御し、記録媒体を再生させ、反対に、所定の排出位置に在る任意の１つの収納手段を再生対象とした再生要求が有り、移動手段を制御して再生対象収納手段を一旦所定の収納位置に移動させたとき、検出手段により再生対象収納手段に記録媒体無しが検出されていれば、移動手段を制御して、再生対象収納手段を一旦所定の排出位置まで排出させ、そのあと再生対象収納手段の閉操作または再生対象収納手段の再生要求操作が有ると、移動手段を制御して、再生対象収納手段を所定の排出位置から所定の収納位置へ移動させ、検出手段が再生対象収納手段に記録媒体有りを検出すれば交換手段を制御して再生対象収納手段に収納された記録媒体を再生手段にセットさせたあと再生手段を制御し、記録媒体を再生させ、検出手段が再生対象収納手段に記録媒体無しを検出したままであれば、今回の再生要求を無視するようにしたこと、
を特徴とする記録媒体再生装置。
【発明の詳細な説明】
【０００１】
【技術分野】
本発明は記録媒体再生装置に係り、とくに、記録媒体を収納手段に収納し、装置内に移動したり装置外に排出したりするようにした記録媒体再生装置に関する。
【０００２】
【従来の技術】
シングルＣＤプレーヤには図８に示す如く、ＣＤ（コンパクトディスク）１を収納可能なトレイ２と、ＣＤの再生を行うＣＤ再生部３と、トレイ２をプレーヤの外部の所定の排出位置（トレイオープン位置。図８の符号Ａの位置）に移動し、ユーザがＣＤの交換をできるようにしたり、トレイ２をＣＤ再生部３の側の所定の再生位置（トレイクローズ位置。図８の符号Ｂの位置）に移動し、ＣＤをＣＤ再生部３にセットさせるトレイ移動部４とが設けられている。ユーザが所望ＣＤ１を再生させたい場合、トレイクローズ状態（トレイ２がＣＤ再生部３の側の所定の再生位置に移動している状態）で操作部５のトレイオープン／クローズキー６を押す。すると、マイコン構成のコントロール部７はトレイ移動部４を制御し、トレイ２を排出位置へ移動させる（トレイオープン状態）。ユーザが所望ＣＤ１を載せ、トレイオープン／クローズキー６を押すと、コントロール部７はトレイ移動部４を制御し、トレイ２を排出位置からＣＤ再生部３の側の所定の再生位置に移動し、ＣＤ１をＣＤ再生部３にセットさせる。このあと、操作部５でプレイキー８を押すと、コントロール部７はＣＤ再生部３を制御し、ＣＤ１の１曲目から再生を開始させる。ＣＤ１の最後の曲まで再生が終わればＣＤ再生部３を制御し、再生動作を停止させる。
【０００３】
一方、多数枚のＣＤを収納し、交換して再生可能なチェンジャ式ＣＤプレーヤには、図９に示す如く、各々ＣＤ１−１〜ＣＤ１−Ｘを１枚ずつ収納可能なＸ個の第１トレイ２−１〜第Ｘトレイ２−Ｘと、ＣＤの再生を行うＣＤ再生部３と、各トレイを各々個別に外部の所定の排出位置（トレイオープン位置。図９の符号Ａ−１〜Ａ−Ｘ参照）に移動し、ユーザがＣＤの交換をできるようにしたり、各トレイを各々個別にセット内の所定の収納位置（トレイクローズ位置。図９の符号Ｃ−１〜Ｃ−Ｘ参照）に移動させるトレイ移動部４−１〜４−Ｘと、収納位置に在るトレイの内、再生要求が与えられた任意の或る１つの再生対象の第ｉトレイ２−ｉをＣＤ再生部３の側の所定の再生位置（図９の符号Ｂ参照）に移動し、ＣＤ再生部３にＣＤ１−ｉをセットさせたり、第ｉトレイ２−ｉをＣＤ再生部３の側の所定の再生位置から元の所定の収納位置に戻すことで、ＣＤ１−ｉを元の所定の収納位置に戻す交換部９とが設けられている。
【０００４】
ユーザが所望ＣＤ１−ｉ（ｉは１〜Ｘの内のいずれか１つの整数）を第ｉトレイ２−ｉに収納させたい場合、第ｉトレイ２−ｉがトレイクローズ状態（トレイが所定の収納位置に在る状態）であれば、まず操作部５０の第ｉトレイ２−ｉ用のトレイオープン／クローズキー６−ｉを押す。すると、マイコン構成のコントロール部７０はトレイ移動部４−ｉを制御し、第ｉトレイ２−ｉを所定の排出位置へ移動させる（トレイオープン状態）。ユーザが所望ＣＤ１−ｉを載せ、トレイオープン／クローズキー６−ｉを押すと、コントロール部７０はトレイ移動部４−ｉを制御し、第ｉトレイ２−ｉを所定の排出位置（図９の符号Ａ−ｉ参照）から所定の収納位置（図９の符号Ｃ−ｉ参照）に移動する。他のトレイについても同様にして所望ＣＤをプレーヤ内に収納させることができる。
【０００５】
ユーザが第ｉトレイ２−ｉに収納済の所望ＣＤ１−ｉを再生させたい場合、第ｉトレイ２−ｉがクローズの状態（トレイが所定の収納位置に在る状態。図９の符号Ｃ−ｉ参照）で操作部５０の第ｉトレイ２−ｉ用のプレイキー８−ｉを押すと、コントロール部７０は交換部９を制御し、第ｉトレイ２−ｉを収納位置からＣＤ再生部３の側の所定の再生位置（図９の符号Ｂ参照）に移動することで、所定の収納位置に在った第ｉトレイ２−ｉに収納されていたＣＤ１−ｉをＣＤ再生部３にセットする。そして、ＣＤ再生部３を制御し、ＣＤ１−ｉの１曲目から再生を開始させる。ＣＤ１−ｉの最後の曲まで再生が終わればＣＤ再生部３を制御し、再生動作を停止させる。
【０００６】
【発明が解決しようとする課題】
ところで、図８のシングルＣＤプレーヤの場合、トレイ２にＣＤ１を収納させていないにもかかわらず、プレイキーを押したとき、ＣＤの再生は開始しない。このとき、ユーザはＣＤ無しを忘れていると、ＣＤの再生が始まるのを無駄に待ち続けてしまうことがあった。ＣＤが無いことはトレイオープン／クローズキーを押して、トレイ２を排出させないと判らない。
同様に、図９のチェンジャ式ＣＤプレーヤにおいても、第ｉトレイ２−ｉにＣＤ１−ｉを収納させていないにもかかわらず、第ｉトレイ２−ｉ用のプレイキー８−ｉを押したとき、ＣＤの再生は開始しない。このとき、ユーザはＣＤ無しを忘れていると、ＣＤの再生が始まるのを無駄に待ち続けてしまうことがあった。また、第ｉトレイ２−ｉ用のプレイキー８−ｉを押したあと、直ぐにＣＤ無しを思い出し、他のトレイ用のプレイキーを押して他のＣＤを再生させようとしても、先のプレイキー８−ｉの操作に基づきコントロール部７０がトレイ２−ｉをＣＤ再生部３の側へ移動させる動作を行わせているので、該移動動作が終わったあとでないと他のトレイ用のプレイキーの操作が受け付けられず、無駄に待たなければならなかった。
本発明は上記した従来技術の問題に鑑み、再生対象記録媒体が存在しない場合に、ユーザを無駄に待たせないようにした記録媒体再生装置を提供することを、その目的とする。
【０００７】
【課題を解決するための手段】
本発明の請求項１記載の記録媒体再生装置では、各々個別に記録媒体を収納可能な複数の収納手段と、記録媒体を再生する再生手段と、前記複数の収納手段について個別に、所定の排出位置から所定の収納位置へ移動したり、所定の収納位置から所定の排出位置へ移動する移動手段と、所定の収納位置に在る１または複数の収納手段の内、任意の１つに収納された記録媒体を再生手段にセットしたり、再生手段にセットされた記録媒体を元の収納位置に戻す交換手段と、前記複数の収納手段に対し個別に開閉操作をする開閉操作手段と、前記複数の収納手段の任意の１つを選択して開操作がされると、移動手段を制御し、選択された収納手段を所定の収納位置から所定の排出位置へ移動させ、前記複数の収納手段の任意の１つを選択して閉操作がされると、移動手段を制御し、選択された収納手段を所定の排出位置から所定の収納位置へ移動させ、前記複数の収納手段の内、所定の収納位置に在る任意の１つを再生対象とした再生要求が有ると、交換手段を制御して再生対象収納手段に収納された記録媒体を再生手段にセットさせたあと再生手段を制御し、記録媒体を再生させる制御手段と、を備えた記録媒体再生装置において、収納手段別に、収納手段が所定の収納位置に在るときに記録媒体が収納されているか否かを検出する検出手段を設け、制御手段は、所定の収納位置に在る任意の１つの収納手段を再生対象とした再生要求が有ると、検出手段により再生対象収納手段に記録媒体有りが検出されていれば、交換手段を制御して再生対象収納手段に収納された記録媒体を再生手段にセットさせたあと再生手段を制御し、記録媒体を再生させ、反対に、所定の収納位置に在る任意の１つの収納手段を再生対象とした再生要求が有ったとき、検出手段により再生対象収納手段に記録媒体無しが検出されていれば、移動手段を制御して、再生対象収納手段を一旦所定の排出位置まで移動させ、このあと再生対象収納手段の閉操作または再生対象収納手段の再生要求操作が有ると、移動手段を制御して、再生対象収納手段を所定の排出位置から所定の収納位置へ移動させ、検出手段が再生対象収納手段に記録媒体有りを検出すれば交換手段を制御して再生対象収納手段に収納された記録媒体を再生手段にセットさせたあと再生手段を制御し、記録媒体を再生させ、検出手段が再生対象収納手段に記録媒体無しを検出したままであれば、今回の再生要求を無視するようにしたこと、を特徴としている。
請求項１によれば、所定の収納位置に在る任意の１つの収納手段を再生対象とした再生要求が有ったとき、再生対象収納手段が空であると、所定の排出位置まで排出されるので、ユーザは無駄に再生が始まるのを待たなくても再生対象収納手段に記録媒体が入っていなかったことが判り、排出された収納手段に直ぐに所望の記録媒体を入れ、収納手段の閉操作または再生要求操作をすることで、所望記録媒体を速やかに再生できる。
本発明の請求項２記載の記録媒体再生装置では、各々個別に記録媒体を収納可能な複数の収納手段と、記録媒体を再生する再生手段と、前記複数の収納手段について個別に、所定の排出位置から所定の収納位置へ移動したり、所定の収納位置から所定の排出位置へ移動する移動手段と、所定の収納位置に在る１または複数の収納手段の内、任意の１つに収納された記録媒体を再生手段にセットしたり、再生手段にセットされた記録媒体を元の収納位置に戻す交換手段と、前記複数の収納手段に対し個別に開閉操作をする開閉操作手段と、前記複数の収納手段の任意の１つを選択して開操作がされると、移動手段を制御し、選択された収納手段を所定の収納位置から所定の排出位置へ移動させ、前記複数の収納手段の任意の１つを選択して閉操作がされると、移動手段を制御し、選択された収納手段を所定の排出位置から所定の収納位置へ移動させ、前記複数の収納手段の内、所定の排出位置に在る任意の１つを再生対象とした再生要求が有ると、まず移動手段を制御して所定の収納位置に移動し、続いて、交換手段を制御して再生対象収納手段に収納された記録媒体を再生手段にセットさせたあと再生手段を制御し、記録媒体を再生させる制御手段と、を備えた記録媒体再生装置において、収納手段別に、収納手段が所定の収納位置に在るときに記録媒体が収納されているか否かを検出する検出手段を設け、制御手段は、所定の排出位置に在る任意の１つの収納手段を再生対象とした再生要求が有ると、移動手段を制御して再生対象収納手段を一旦所定の収納位置に移動させ、ここで検出手段により記録媒体有りが検出されていれば、交換手段を制御して再生対象収納手段に収納された記録媒体を再生手段にセットさせたあと再生手段を制御し、記録媒体を再生させ、反対に、所定の排出位置に在る任意の１つの収納手段を再生対象とした再生要求が有り、移動手段を制御して再生対象収納手段を一旦所定の収納位置に移動させたとき、検出手段により再生対象収納手段に記録媒体無しが検出されていれば、移動手段を制御して、再生対象収納手段を一旦所定の排出位置まで排出させ、そのあと再生対象収納手段の閉操作または再生対象収納手段の再生要求操作が有ると、移動手段を制御して、再生対象収納手段を所定の排出位置から所定の収納位置へ移動させ、検出手段が再生対象収納手段に記録媒体有りを検出すれば交換手段を制御して再生対象収納手段に収納された記録媒体を再生手段にセットさせたあと再生手段を制御し、記録媒体を再生させ、検出手段が再生対象収納手段に記録媒体無しを検出したままであれば、今回の再生要求を無視するようにしたこと、を特徴としている。
請求項２によれば、所定の排出位置に在る任意の１つの空の収納手段を再生対象とした再生要求が有ったとき、所定の収納位置に移動したあと所定の排出位置まで排出されるので、ユーザは無駄に再生が始まるのを待たなくても再生対象収納手段に記録媒体が入っていなかったことが判り、排出された収納手段に直ぐに所望の記録媒体を入れ、収納手段の閉操作または再生要求操作をすることで、所望記録媒体を速やかに再生できる。
【０００８】
【発明の実施の形態】
図１は本発明の原理を説明するためのシングルＣＤプレーヤの構成を示すブロック図である。１はＣＤ、２はＣＤを収納可能なトレイ、３はＣＤの再生を行うＣＤ再生部であり、リードインに記録された管理情報としてのＴＯＣ（Table Of Contents ）情報を読み取ったり、プログラム領域に記録されたトラック（曲）別の音楽信号の再生やサブコードの読み取りをする。４はトレイ移動部であり、トレイ２をプレーヤの外側の所定の排出位置（トレイオープン位置。図１の符号Ａ参照）に移動したり、ＣＤ再生部３の側の所定の再生位置（トレイクローズ位置。図１の符号Ｂ参照）に移動する。５は操作部であり、トレイ開操作（トレイオープン操作）とトレイ閉操作（トレイクローズ操作）を兼用して行うトレイオープン／クローズキー６、再生要求操作をするプレイキー８などを有している。１０はＣＤ再生部３にＣＤがセットされているか否かを検出するディスク検出部、７Ａはマイコン構成のコントロール部であり、操作部５の操作に従い、トレイ移動部４を制御し、トレイ２を所定の排出位置に移動させたり、ＣＤ再生部３の側の所定の再生位置に移動させたり、ＣＤ再生部３を制御してＣＤのリードインに記録されたＴＯＣ情報を読み取らせたり、ＣＤの再生を行わせたりする。
【０００９】
図２と図３はコントロール部７Ａによる再生制御処理を示すフローチャートであり、以下、これらの図を参照して本発明の原理の動作を説明する。
予め、ＣＤ再生部１にはＣＤはセットされておらず、トレイ２はトレイクローズ状態に成っているものとする。また、トレイ２の位置データＴＦ（０；トレイクローズ位置、１；トレイオープン位置）＝０、ＣＤ再生中か否かを示すフラグＰＦ（０；非再生中、１；再生中）＝０となっているものとする。
電源オン後、ユーザが所望ＣＤ１を聴取したい場合、トレイオープン／クローズキー６を押す。コントロール部７Ａは最初、トレイクローズ中であり（ＴＦ＝０）、ＣＤ再生中でないので（ＰＦ＝０）、トレイ移動部４を制御し、トレイ２をプレーヤの外部の所定の排出位置へ移動させ、ＴＦ＝１とする（図３のステップＳ２０〜Ｓ２３。図１の符号Ａ参照）。ユーザがトレイ２にＣＤ１を載せ忘れて、トレイオープン／クローズキー６を押してしまうと、コントロール部７ＡはＴＦ＝１なので、トレイ移動部４を制御し、トレイ２をＣＤ再生部３の側の所定の再生位置へ移動させ、ＴＦ＝０とする（ステップＳ２０、Ｓ２１、Ｓ２４。図１の符号Ｂ参照）。この際、ＣＤ１はＣＤ再生部３にセットされていないのでディスク検出部１０がディスク無しを示すＬレベルのディスク検出信号を出力する。
【００１０】
次に、プレイキー８を押すと、コントロール部７ＡはＣＤの再生要求が与えられたとして、まずトレイクローズ中（ＴＦ＝０）か判断する（図２のステップＳ１０、Ｓ１１）。ＹＥＳなので、ディスク検出部１０からの検出信号を入力し、ＣＤ有りを示すＨレベルとなっているかチェックする（ステップＳ１２）。若し、ＹＥＳであれば後述するステップＳ１７の側へ進んでＴＯＣ情報の読み取り後ＣＤの再生を開始させるが、ここではＮＯとなるので、トレイ移動部４を制御し、トレイ２をプレーヤの外部の所定の排出位置へ移動させ、ＴＦ＝１とする（ステップＳ１３。図１の符号Ａ参照）。ユーザは空のトレイ２が排出されたことにより、ＣＤ１を載せ忘れていたことに直ぐに気付くことができ、プレイキーを押したあといつまでも開始しない再生を無駄に待たずに済む。
【００１１】
ユーザが正しくＣＤ１をトレイ２に載せ、再びトレイオープン／クローズキー６を押すと、コントロール部７Ａはトレイ２をＣＤ再生部３の側の所定の再生位置へ移動させ、ＴＦ＝０とする（ステップＳ１４、Ｓ１５）。この際、ディスク検出部１０はディスク有りを示すＨレベルのディスク検出信号を出力する。コントロール部７Ａはディスク検出部１０からの検出信号を入力し、ＣＤ有りを示すＨレベルとなっているかチェックする（ステップＳ１６）。今度はＹＥＳなので、ステップＳ１７に進み、ＣＤ再生部３を制御し、リードインのＴＯＣ情報を読み取らせて入力し、コントロール部７Ａの内蔵メモリ（図示せず）に記憶したあと、ＣＤ再生部３を制御し、１曲目の先頭から再生を開始させて音楽信号を出力させるとともにＰＦ＝１とする（ステップＳ１８）。再生中、ＣＤ再生部３はサブコードの読み取りを行ってコントロール部７Ａへ出力する。コントロール部７Ａはサブコード中の記録位置情報（絶対時間等）をＴＯＣ情報と照合して最終曲の最後まで再生し終わったかチェックし（図３のステップＳ２５、Ｓ２６の繰り返し）、ステップＳ２６でＹＥＳとなればＣＤ再生部３を制御して再生動作を停止させ、ＰＦ＝０とする（ステップＳ２７）。
【００１２】
なお、ＣＤ１の再生中に他のＣＤに交換したい場合、トレイオープン／クローズキー６を押す。コントロール部７Ａはトレイクローズ中であり（ＴＦ＝０）、ＣＤ再生中なので（ＰＦ＝１）、ＣＤ再生部３を制御し、再生動作を停止させ、ＰＦ＝０とする（図３のステップＳ２０〜Ｓ２２、Ｓ２８）。続いてトレイ移動部４を制御し、トレイ２をプレーヤの外部の所定の排出位置へ移動させ、ＴＦ＝１とする（ステップＳ２３。図１の符号Ａ参照）。
ユーザが他の所望ＣＤ１を空きのトレイ２に載せ、トレイオープン／クローズキー６を押すのは省略してプレイキー８を押すと、コントロール部７Ａはトレイオープン状態（ＴＦ＝１）なので、トレイ移動部４を制御し、トレイクローズ位置に移動させるとともにＴＦ＝０とする（ステップＳ１０、Ｓ１１、Ｓ１９）。そして、ＣＤがＣＤ再生部３にセットされているかチェックし（ステップＳ１２）、ＮＯであればステップＳ１３に進むが、ここではＹＥＳなので、ＣＤ再生部３を制御し、ＴＯＣ情報を読み取らせて入力し、内蔵メモリに記憶したあと、１曲目の先頭から再生を開始させる（ステップＳ１７、Ｓ１８）。
【００１３】
若し、トレイ２がトレイオープン状態にあるときに所望ＣＤを載せ忘れて、プレイキーを押してしまった場合、コントロール部７Ａはトレイオープン状態（ＴＦ＝１）なので、トレイ移動部４を制御し、トレイクローズ位置に移動させるとともにＴＦ＝０とする（ステップＳ１０、Ｓ１１、Ｓ１９）。そして、ＣＤがＣＤ再生部３にセットされているかチェックする（ステップＳ１２）。ＮＯとなるので、ステップＳ１３に進み、トレイ移動部４を制御し、トレイ２をプレーヤの外部の所定の排出位置へ移動させ、ＴＦ＝１とする（ステップＳ１３。図１の符号Ａ参照）。ユーザは空のトレイ２が再度排出されたことにより、ＣＤ１を載せ忘れていたことに直ぐに気付くことができ、プレイキーを押したあといつまでも開始しない再生を無駄に待たずに済む。
【００１４】
ユーザが正しくＣＤ１をトレイ２に載せ、再びトレイオープン／クローズキー６を押すと、コントロール部７Ａはトレイ２をＣＤ再生部３の側の所定の再生位置へ移動させ、ＴＦ＝０とする（ステップＳ１４、Ｓ１５）。この際、ディスク検出部１０はディスク有りを示すＨレベルのディスク検出信号を出力する。コントロール部７Ａはディスク検出部１０からの検出信号を入力し、ＣＤ有りを示すＨレベルとなっているかチェックする（ステップＳ１６）。今度はＹＥＳなので、ステップＳ１７に進み、ＣＤ再生部３を制御し、リードインのＴＯＣ情報を読み取らせて入力し、コントロール部７Ａの内蔵メモリ（図示せず）に記憶したあと、ＣＤ再生部３を制御し、１曲目の先頭から再生を開始させる（ステップＳ１８）。
【００１５】
本発明の原理によれば、トレイクローズ状態でＣＤを入れ忘れたままプレイキーを押し、再生要求を与えると、コントロール部７ＡはＣＤ再生部３にＣＤがセットされているかのチェックでＣＤ無しとなるため、自動でトレイ２をトレイオープン位置へ移動させ、空のトレイ２を排出させる。これにより、ユーザは直ぐにＣＤを入れ忘れていたことに気付くことが出来、無駄にＣＤの再生が始まるのを待たなくて済み、空のトレイ２に正しく所望ＣＤを載せ、トレイオープン／クローズキーを押すことで、所望ＣＤの再生を速やかに開始させることができる。  また、トレイオープン状態でＣＤを入れ忘れたままプレイキーを押し、再生要求を与えたときも、コントロール部７Ａはトレイ２をトレイクローズ位置に移動させたあと、ＣＤ再生部３にＣＤがセットされているかチェックしたときＣＤ無しとなるため、自動でトレイ２をトレイオープン位置へ移動させ、空のトレイ２を排出させる。これにより、ユーザは直ぐにＣＤを入れ忘れていたことに気付くことが出来、無駄にＣＤの再生が始まるのを待たなくて済み、空のトレイ２に正しく所望ＣＤを載せ、トレイオープン／クローズキーを押すことで、所望ＣＤの再生を速やかに開始させることができる。
【００１６】
なお、上記した本発明の原理説明では、図２のステップＳ１４でトレイオープン／クローズキーが押されてトレイ閉操作がされるのを待つようにしたが、プレイキーが押されて再生要求が与えられるのを待つようにし、プレイキーが押されたらステップＳ１５へ進むようにしても良い。また、トレイオープン／クローズキーかプレイキーのいずれかが押されるのを待つようにし、いずれかが押されたらステップＳ１５へ進むようにしても良い。
【００１７】
図４は本発明の実施の形態に係るチェンジャ式ＣＤプレーヤの構成を示すブロック図である。
１−１〜１−ＸはＸ枚のＣＤ、２−１〜２−Ｘは各々個別に１枚のＣＤを収納可能な第１トレイ〜第Ｘトレイ、３はＣＤの再生を行うＣＤ再生部であり、リードインに記録された管理情報としてのＴＯＣ（Table Of Contents ）情報を読み取ったり、プログラム領域に記録されたトラック（曲）別の音楽信号の再生やサブコードの読み取りをする。４−１〜４−Ｘは各々第１トレイ２−１〜第Ｘトレイ２−Ｘに個別に対応して設けられたトレイ移動部である。たとえば、トレイ移動部４−１は後述するコントロール部の制御に従い、第１トレイ２−１をプレーヤの外側の所定の排出位置（トレイオープン位置。図４の符号Ａ−１参照）に移動したり、プレーヤ内の所定の収納位置（トレイクローズ位置。図４の符号Ｃ−１参照）に移動する。他のトレイ移動部４−ｉ（ｉ＝２、・・、Ｘ）も同様にして、第ｉトレイ２−ｉをプレーヤの外側所定の排出位置（トレイオープン位置。図４の符号Ａ−ｉ参照）に移動したり、プレーヤ内の所定の収納位置（トレイクローズ位置。図４の符号Ｃ−ｉ参照）に移動する。
【００１８】
９は交換部であり、コントロール部の制御に従い、所定の収納位置（トレイクローズ位置）に在るトレイの内、任意の或る１つの第ｉトレイ２−ｉ（ｉは１〜Ｘの内の１つ）を、ＣＤ再生部３の側の所定の再生位置（図１の符号Ｂ参照）に移動し、所定の収納位置に在った第ｉトレイ２−ｉに収納されていたＣＤ１−ｉをＣＤ再生部３にセットさせたり、ＣＤ再生部３の側の所定の再生位置に移動している第ｉトレイ２−ｉを元の所定の収納位置に戻すことで、ＣＤ１−ｉを元の所定の収納位置に戻す。５０は操作部であり、第１トレイ２−１〜第Ｘトレイ２−Ｘの別に、トレイ開操作（トレイオープン操作）とトレイ閉操作（トレイクローズ操作）を兼用して行うトレイオープン／クローズキー６−１〜６−Ｘ、第１トレイ２−１〜第Ｘトレイ２−Ｘの別に再生要求操作をするプレイキー８−１〜８−Ｘなどを有している。１０−１〜１０−Ｘはディスク検出部であり、Ｘ個の第１トレイ２−１〜第Ｘトレイ２−Ｘに対応して個別に設けられている。たとえば、ディスク検出部１０−１は対応する第１トレイ２−１が所定の収納位置（図４の符号Ｃ−１参照）に在るときに第１トレイ２−１の中のＣＤの有無を検出する。他のディスク検出部１０−ｉ（ｉ＝２、・・、Ｘ）も同様にして、対応する第ｉトレイ２−ｉが所定の収納位置（図４の符号Ｃ−ｉ参照）に在るときに第ｉトレイ２−ｉの中のＣＤの有無を検出する。
【００１９】
７０Ａはマイコン構成のコントロール部であり、操作部５０の操作に従い、トレイ移動部４−ｉ（ｉ＝１、２、・・、Ｘ）を制御し、トレイ２−ｉを所定の排出位置（図４の符号Ａ−ｉ参照）に移動させたり、所定の収納位置（図４の符号Ｃ−ｉ参照）に移動させたり、交換部９を制御し、所定の収納位置に在るトレイの内、任意の或る１つのトレイをＣＤ再生部３の側に移動させたり、ＣＤ再生部３の側から元の収納位置に戻したり、ＣＤ再生部３を制御してＣＤのリードインに記録されたＴＯＣ情報を読み取らせたり、ＣＤの再生を行わせたりする。
【００２０】
図５〜図７はコントロール部７０Ａによる再生制御処理を示すフローチャートであり、以下、これらの図を参照して本実施の形態の動作を説明する。
予め、ＣＤ再生部３にはＣＤはセットされておらず、トレイ２−１〜２−Ｘは全て空の状態で所定の収納位置（トレイクローズ位置）に在るものとする。また、トレイ２−１〜２−Ｘの位置データＴＦ1 〜ＴＦX （０；トレイクローズ位置、１；トレイオープン位置、２；再生位置）＝０、ＣＤ再生中か否かを示すフラグＰＦ（０；非再生中、１；再生中）＝０となっているものとする。
【００２１】
（１）トレイに正しくＣＤを入れて再生要求した場合
電源オン後、ユーザが第１トレイ２−１に所望ＣＤ１−１を収納させ、かつＣＤ１−１を聴取したい場合、まず、第１トレイ用のトレイオープン／クローズキー６−１を押す。コントロール部７０Ａは最初、第１トレイ２−１が所定の収納位置（トレイクローズ位置。図４の符号Ｃ−１参照）に在るので（ＴＦ1 ＝０）、トレイ移動部４−１を制御し、第１トレイ２−１をプレーヤの外部の所定の排出位置へ移動させ、ＴＦ1 ＝１とする（図７のステップＳ６０〜Ｓ６３。図４の符号Ａ−１参照）。ユーザが第１トレイ２−１に正しくＣＤ１−１を載せ、再びトレイオープン／クローズキー６−１を押すと、コントロール部７０Ａはトレイ移動部４−１を制御し、第１トレイ２−１を所定の収納位置へ移動させ、ＴＦ1 ＝０とする（ステップＳ６０〜Ｓ６２、Ｓ６４。図４の符号Ｃ−１参照）。ディスク検出部１０−１は、所定の収納位置に来た第１トレイ２−１にＣＤが収納されているので、ＣＤ有りを示すＨレベルのディスク検出信号を出力する。
【００２２】
この状態でユーザが第１トレイ用のプレイキー８−１を押すと、コントロール部７０Ａは第１トレイ２−１に収納されたＣＤの再生要求が与えられたとして、まず、第１トレイ２−１〜第Ｘトレイ２−Ｘの内、いずれか１つが再生位置に在り、ＴＦ1 〜ＴＦX の内、いずれか１つが２となっているかチェックする（図５のステップＳ３０、Ｓ３１）。ここではＮＯなので、第１トレイ２−１から第Ｘトレイ２−Ｘまで順にトレイオープン位置に在るかチェックし、若しトレイオープン位置に在るものが有れば（これを第Ｊトレイ２−Ｊとする）、対応するトレイ移動部４−Ｊを制御して所定の収納位置に移動させ、ＴＦJ ＝０としたのち（ステップＳ３２〜Ｓ３６）、図６のフローに進み、ディスク検出部１０−１からの検出信号を入力し、ＣＤ有りを示すＨレベルとなっているかチェックする（ステップＳ５０）。ＹＥＳなので、ステップＳ５１に進み、第１トレイ２−１〜第Ｘトレイ２−Ｘの内、いずれか１つが再生位置に在り、ＴＦ1 〜ＴＦX の内、いずれか１つが２となっているかチェックする（ＴＦ1 〜ＴＦX の内、２となっているものをＴＦk とする）。ＮＯなのでステップＳ５２に進み、交換部９を制御し、所定の収納位置に在る第１トレイ２−１をＣＤ再生部３の側の所定の再生位置へ移動させ、ＴＦ1 ＝２とする。
【００２３】
そして、ＣＤ再生部３を制御し、リードインのＴＯＣ情報を読み取らせて入力し、コントロール部７０Ａの内蔵メモリ（図示せず）に記憶したあと、ＣＤ再生部３を制御し、１曲目の先頭から再生を開始させて音楽信号を出力させるとともにＰＦ＝１とする（ステップＳ５３、Ｓ５４）。再生中、ＣＤ再生部３はサブコードの読み取りを行ってコントロール部７０Ａへ出力する。コントロール部７０Ａはサブコード中の記録位置情報（絶対時間等）をＴＯＣ情報と照合して最終曲の最後まで再生し終わったかチェックし（図７のステップＳ６５、Ｓ６６の繰り返し）、ＹＥＳとなればＣＤ再生部３を制御して再生動作を停止させ、ＰＦ＝０とする（ステップＳ６７）。
【００２４】
（２）トレイにＣＤを入れ忘れて再生要求した場合
若し、ＣＤ１−１の再生中に、ユーザが第２トレイ２−２にＣＤ１−２を収納させ、かつ、ＣＤ１−２を聴取したいと思った場合、第２トレイ用のトレイオープン／クローズキー６−２を押す。コントロール部７０Ａは第２トレイ２−２が所定の収納位置（トレイクローズ位置。図４の符号Ｃ−２参照）に在るので（ＴＦ2 ＝０）、トレイ移動部４−２を制御し、第２トレイ２−２をプレーヤの外部の所定の排出位置へ移動させ、ＴＦ2 ＝１とする（図７のステップＳ６０〜Ｓ６３。図４の符号Ａ−２参照）。ユーザが第２トレイ２−２にＣＤ１−２を載せ忘れたまま再びトレイオープン／クローズキー６−２を押してしまうと、コントロール部７０Ａはトレイ移動部４−２を制御し、第２トレイ２−２を所定の収納位置へ移動させ、ＴＦ2 ＝０とする（ステップＳ６０〜Ｓ６２、Ｓ６４。図４の符号Ｃ−２参照）。ディスク検出部１０−２は、所定の収納位置に来た第２トレイ２−２にＣＤが収納されていないので、ＣＤ無しを示すＬレベルのディスク検出信号を出力する。
【００２５】
この状態でユーザが第２トレイ用のプレイキー８−２を押すと、コントロール部７０Ａは第２トレイ２−２に収納されたＣＤの再生要求が与えられたとして、まず、第１トレイ２−１〜第Ｘトレイ２−Ｘの内、いずれか１つが再生位置に在り、ＴＦ1 〜ＴＦX の内、いずれか１つが２となっているかチェックする（図５のステップＳ３０、Ｓ３１）。ＹＥＳなので、第ｉトレイ２−ｉかチェックする（ステップＳ３７）。ステップＳ３７で仮にＹＥＳならば更に再生中かチェックし（ステップＳ３８）、ここでもＹＥＳであれば今回の再生要求を無視し、ＮＯであれば、ＣＤ再生部３を制御し、ＴＯＣ情報を読み取らせて入力し、内蔵メモリに記憶したあと１曲目の先頭から再生を開始させる（ステップＳ３９、Ｓ４０）。ここではステップＳ３７でＮＯとなるので、ステップＳ４１へ進み、現在再生中（ＰＦ＝１）かチェックする。ＹＥＳなので、ＣＤ再生部３を制御し、ＣＤ１−１の再生動作を停止し、ＰＦ＝０とする（ステップＳ４２）。
【００２６】
次に、第１トレイ２−１から第Ｘトレイ２−Ｘまで順にトレイオープン位置に在るかチェックし、若しトレイオープン位置に在るものが有れば（第Ｊトレイ２−Ｊとする）、対応するトレイ移動部４−Ｊを制御して所定の収納位置に移動させ、ＴＦJ ＝０としたのち（ステップＳ３２〜Ｓ３６）、図６のフローに進み、ディスク検出部１０−２からの検出信号を入力し、ＣＤ有りを示すＨレベルとなっているかチェックする（ステップＳ５０）。ＣＤ１−２を入れ忘れているので、今度はＮＯとなる。このとき、コントロール部７０Ａはトレイ移動部４−２を制御し、第２トレイ２−２をプレーヤの外部の所定の排出位置へ移動させ、ＴＦ2 ＝１とする（ステップＳ５５。図４の符号Ａ−２参照）。ユーザは空の第２トレイ２−２が排出されたことにより、ＣＤ１−２を載せ忘れていたことに直ぐに気付くことができ、プレイキーを押したあといつまでも開始しない再生を無駄に待たずに済む。
【００２７】
ユーザが第２トレイ２−２に正しくＣＤ１−２を載せ、再びトレイオープン／クローズキー６−２を押すと、コントロール部７０Ａはトレイ移動部４−２を制御し、第２トレイ２−２を所定の収納位置へ移動させ、ＴＦ2 ＝０とする（ステップＳ５６、Ｓ５７。図４の符号Ｃ−２参照）。ディスク検出部１０−２は、所定の収納位置に来た第１トレイ２−２にＣＤが収納されているので、今度はＣＤ有りを示すＨレベルのディスク検出信号を出力する。
【００２８】
コントロール部７０ＡはステップＳ５７のあと、ディスク検出部１０−２からの検出信号を入力し、ＣＤ有りを示すＨレベルとなっているかチェックする（ステップＳ５８）。ＣＤ１−２を収納しているので今度はＹＥＳとなる。この場合、ＴＦ1 〜ＴＦX をチェックして、いずれか１つ（これをＴＦk とする）が再生位置に在ることを示す２となっているかチェックする（ステップＳ５１）。ここではｋ＝１が該当するので、交換部９を制御し、ＣＤ再生部３の側の所定の再生位置に在る第１トレイ２−１を元の所定の収納位置に戻すことで、それまでＣＤ再生部３にセットされていたＣＤ１−１を元の所定の収納位置に戻し、ＴＦ1 ＝０とする（ステップＳ５９）。次に、交換部９を制御し、所定の収納位置に在る第２トレイ２−２をＣＤ再生部３の側の所定の再生位置へ移動させ、ＴＦ2 ＝２とする（ステップＳ５２）。そして、ＣＤ再生部３を制御し、ＴＯＣ情報を読み取らせて入力し、内蔵メモリに記憶したあと１曲目の先頭から再生を開始させ、ＰＦ＝１とする（ステップＳ５３、Ｓ５４）。
【００２９】
（３）トレイのＣＤの取り替え
なお、ＣＤ１−２の再生中に第２トレイ２−２のＣＤ１−２を他のＣＤに取り替えたい場合、第２トレイ用のトレイオープン／クローズキー６−２を押す。コントロール部７０Ａは第２トレイ２−２が再生位置に在り（ＴＦ2 ＝２）、かつＣＤ再生中なので（ＰＦ＝１）、ＣＤ再生部３を制御し、再生動作を停止させ、ＰＦ＝０とする（図７のステップＳ６０、Ｓ６１、Ｓ６８、Ｓ６９）。続いて交換部９を制御し、第２トレイ２−２を再生位置から元の所定の収納位置（トレイクローズ位置。図４の符号Ｃ−２参照）に移動させることで、ＣＤ再生部３にセットされていたＣＤ１−２を元の所定の収納位置に戻し、ＴＦ2 ＝０とする（ステップＳ７０）。更に、トレイ移動部４−２を制御し、第２トレイ２−２をプレーヤの外部の所定の排出位置へ移動させ、ＴＦ2 ＝１とする（ステップＳ６３。図４の符号Ａ−２参照）。
【００３０】
ユーザが第２トレイ２−２のＣＤ１−２を他の所望ＣＤ１−２に取り替え、トレイオープン／クローズキー６−２を押すのは省略してプレイキー６−２を押すと、コントロール部７０Ａはまず再生位置にいずれか１つのトレイが在るかチェックし（図５のステップＳ３０、Ｓ３１）、ＮＯなのでステップＳ３２へ進み、トレイオープン位置に在るトレイにつき、対応するトレイ移動部を制御して所定の収納位置に移動させる。ここでは、第２トレイ２−２が該当するので、トレイ移動部４−２を制御して所定の収納位置（トレイクローズ位置。図４の符号Ｃ−２参照）に移動させ、ＴＦ2 ＝０とする（ステップＳ３６の処理でｊ＝２となったあと、ステップＳ３３でＹＥＳ、ステップＳ３４）。このときディスク検出部１０−２はＣＤ有りを示すディスク検出信号を出力する。ステップＳ３６のインクリメントでｊ＝Ｘとなり、ステップＳ３５でＹＥＳになると、コントロール部７０Ａは図６のフローへ進み、ディスク検出部１０−２からの入力をチェックして所定の収納位置に在る第２トレイ２−２の中にＣＤが収納されているかチェックする（ステップＳ５０）。ＮＯとなればステップＳ５５へ進むが、ここではＹＥＳとなるので、ステップＳ５１へ進み、第１トレイ２−１〜第Ｘトレイ２−Ｘの内、いずれか１つが再生位置に在るかチェックし、ＮＯなので、交換部９を制御して所定の収納位置に在る第２トレイ２−２をＣＤ再生部３の側の所定の再生位置へ移動し（図４の符号Ｂ参照）、取り替え後の新たなＣＤ２−２をＣＤ再生部３にセットさせ、ＴＦ2 ＝２とする。そして、ＣＤ再生部３を制御し、ＴＯＣ情報を読み取らせて入力し、内蔵メモリに記憶したあと、１曲目の先頭から再生を開始させる（ステップＳ５２〜Ｓ５４）。
【００３１】
若し、第２トレイ２−２がトレイオープン位置にあるときに、前のＣＤ１−２を取り出しただけで新たな所望ＣＤを載せ忘れて、プレイキー８−２を押してしまった場合、コントロール部７０Ａの制御で第２トレイ２−２が所定の収納位置（トレイクローズ位置。図４の符号Ｃ−２参照）に移動したとき（図５のステップＳ３０、Ｓ３１、Ｓ３２〜Ｓ３６）、ディスク検出部１０−２はＣＤ無しを示すＬレベルのディスク検出信号を出力する。よって、コントロール部７０Ａはディスク検出部１０−２からの入力をチェックして所定の収納位置に在る第２トレイ２−２の中にＣＤが収納されているかチェックしたとき（ステップＳ５０）、ＮＯとなるので、トレイ移動部４−２を制御し、第２トレイ２−２をプレーヤの外部の所定の排出位置へ移動させ、ＴＦ2 ＝１とする（ステップＳ５５。図４の符号Ａ−２参照）。ユーザは空の第２トレイ２−２が再度排出されたことにより、ＣＤ１−２を載せ忘れていたことに直ぐに気付くことができ、プレイキーを押したあといつまでも開始しない再生を無駄に待たずに済む。
【００３２】
ユーザが正しく新たなＣＤ１−２を第２トレイ２−２に載せ、第２トレイ用のトレイオープン／クローズキー６−２を押すと、コントロール部７０Ａはトレイ移動部４−２を制御して第２トレイ２−２を所定の収納位置（トレイクローズ位置。図４の符号Ｃ−２参照）に移動させる（ステップＳ５６、Ｓ５７）。ディスク検出部１０−２はＣＤ有りを示すＨレベルのディスク検出信号を出力するので、コントロール部７０ＡはステップＳ５８でＹＥＳと判断し、第１トレイ２−１〜第Ｘトレイ２−Ｘの内、いずれか１つが再生位置に在るかチェックし（ステップＳ５１）、ＮＯなので、交換部９を制御して所定の収納位置に在る第２トレイ２−２をＣＤ再生部３の側の所定の再生位置へ移動し（ステップＳ５２、図４の符号Ｂ参照）、新たなＣＤ２−２をＣＤ再生部３にセットさせる。そして、ＣＤ再生部３を制御し、ＴＯＣ情報を読み取らせて入力し、内蔵メモリに記憶したあと、１曲目の先頭から再生を開始させる（ステップＳ５３、Ｓ５４）。
【００３３】
この実施の形態によれば、第１トレイ２−１〜第Ｘトレイ２−Ｘの内、任意の或る１つの空の第ｉトレイ２−ｉが所定の収納位置（トレイクローズ位置。図４の符号Ｃ−ｉ参照）に在る状態でＣＤを入れ忘れていたまま第ｉトレイ用のプレイキー８−２を押し、第ｉトレイ用の再生要求を与えると、コントロール部７０Ａは第ｉトレイ２−ｉにＣＤが有るか否かのチェックでＣＤ無しとなるため、自動で第ｉトレイ２−ｉを所定の排出位置（トレイオープン位置）へ移動させ、空の第ｉトレイ２−１を排出させる。これにより、ユーザは直ぐにＣＤを入れ忘れていたことに気付くことが出来、無駄にＣＤの再生が始まるのを待たなくて済み、空の第ｉトレイ２−ｉに正しく所望ＣＤを載せ、第ｉトレイ用のトレイオープン／クローズキー６−ｉを押すことで、所望ＣＤの再生を速やかに開始させることができる。
また、第１トレイ２−１〜第Ｘトレイ２−Ｘの内、任意の或る１つの空の第ｉトレイ２−ｉが所定の排出位置（トレイオープン位置。図４の符号Ａ−ｉ参照）に在る状態でＣＤを入れ忘れたまま第ｉトレイ用のプレイキー８−２を押し、第ｉトレイ用の再生要求を与えたときも、コントロール部７０Ａは第ｉトレイ２−ｉを所定の収納位置（トレイクローズ位置）に移動させたあとの第ｉトレイ２−ｉにＣＤが有るか否かのチェックでＣＤ無しとなるため、自動で第ｉトレイ２−ｉを所定の排出位置（トレイオープン位置）へ移動させ、空の第ｉトレイ２−１を排出させる。これにより、ユーザは直ぐにＣＤを入れ忘れていたことに気付くことが出来、無駄にＣＤの再生が始まるのを待たなくて済み、空の第ｉトレイ２−ｉに正しく所望ＣＤを載せ、第ｉトレイ用のトレイオープン／クローズキー６−ｉを押すことで、所望ＣＤの再生を速やかに開始させることができる。
【００３４】
なお、上記した実施の形態では、図６のステップＳ５６で第ｉトレイ用のトレイオープン／クローズキーが押されてトレイ閉操作がされるのを待つようにしたが、第ｉトレイ用のプレイキーが押されて再生要求が与えられるのを待つようにし、第ｉ用のプレイキーが押されたらステップＳ５７へ進むようにしても良い。或いは、第ｉトレイ用のトレイオープン／クローズキーか第ｉトレイ用のプレイキーのいずれかが押されるのを待つようにし、いずれかが押されたらステップＳ５７へ進むようにしても良い。
【００３６】
上記した実施の形態と変形例では、チェンジャ式ＣＤプレーヤを例に挙げて説明したが、本発明は何らこれに限定されるものでなく、複数のＭＤ（ミニディスク）を交換して再生可能なチェンジャ式ＭＤプレーヤ、複数のカセットテープを交換して再生可能なチェンジャ式カセットテープレコーダなど、各々記録媒体を個別に収納できる収納手段を、所定の排出位置、所定の収納位置、所定の再生位置に移動可能とし、或る記録媒体の再生中に他の記録媒体を取り替えられるようにした各種の記録媒体再生装置に適用可能である。
【００３７】
【発明の効果】
本発明によれば、各々、所定の排出位置、所定の収納位置、所定の再生位置に移動できる複数の収納手段を有する場合に、任意の或る１つの空の収納手段を対象とする再生要求が有ったとき、収納手段が一旦所定の排出位置まで排出されるので、ユーザは無駄に再生が始まるのを待たなくても、記録媒体が入っていなかったことが判り、排出された収納手段に直ぐに所望の記録媒体を入れて再生させることができる。
【図面の簡単な説明】
【図１】  本発明の原理を説明するためのシングルＣＤプレーヤの構成を示すブロック図である。
【図２】図１中のコントロール部の再生制御処理を示すフローチャートである。
【図３】図１中のコントロール部の再生制御処理を示すフローチャートである。
【図４】  本発明の実施の形態に係るチェンジャ式ＣＤプレーヤの構成を示すブロック図である。
【図５】図４中のコントロール部の再生制御処理を示すフローチャートである。
【図６】図４中のコントロール部の再生制御処理を示すフローチャートである。
【図７】図４中のコントロール部の再生制御処理を示すフローチャートである。
【図８】  従来のシングルＣＤプレーヤの構成を示すブロック図である。
【図９】  従来のチェンジャ式ＣＤプレーヤの構成を示すブロック図である。
【符号の説明】
１、１−１〜１−Ｘ  ＣＤ
２  トレイ
２−１〜２−Ｘ  第１トレイ〜第Ｘトレイ
３  ＣＤ再生部                    ４、４−１〜４−Ｘ  トレイ移動部
５、５０  操作部
６、６−１〜６−Ｘ  トレイオープン／クローズキー
７Ａ、７０Ａ  コントロール部
８、８−１〜８−Ｘ  プレイキー
１０、１０−１〜１０−Ｘ  ディスク検出部
【図１】
0003704447.tif 000002
【図２】
0003704447.tif 000003
【図３】
0003704447.tif 000004
【図４】
0003704447.tif 000005
【図５】
0003704447.tif 000006
【図６】
0003704447.tif 000007
【図７】
0003704447.tif 000008
【図８】
0003704447.tif 000009
【図９】
0003704447.tif 000010